(57)【要約】【課題】ボルト本来の性能を損なうことなく、締め付け不良を確実に防止できる六角穴付きボルトの提供。【解決手段】頭部１１に締付用六角レンチの六角穴１１ａを備え、かつ全体に焼入れ及び焼き戻し処理が施された六角穴付きボルトにおいて、頭部１１の六角穴部分にレーザー照射を行ってその表面に再焼入れを行い、六角穴の側面部分だけを局所的にかつ薄く表面硬化させてなる高硬度の六角穴１１ａを形成した。【選択図】図１
0003195433.tif 000002
【実用新案登録請求の範囲】
【請求項１】
頭部に締付用六角レンチの六角穴を備え、かつ全体に焼入れ及び焼き戻し処理が施された六角穴付きボルトにおいて、頭部の六角穴部分にレーザー照射を行ってその表面に再焼入れを行い、六角穴部分だけを局所的にかつ薄く表面硬化させてなる高硬度の六角穴を形成したことを特徴とする六角穴付きボルト。
【請求項２】
六角穴の締付用六角レンチの当たる内側面だけにレーザー照射を行ってその表面に再焼入れを行い、六角穴の内側面部分だけを局所的にかつ薄く表面硬化させてなる高硬度の六角穴を形成したことを特徴とする請求項１記載の六角穴付きボルト。
【考案の詳細な説明】
【技術分野】
【０００１】  本考案は、頭部に締付用六角レンチの六角穴を備えた六角穴付きボルトに関するものである。
【背景技術】
【０００２】  従来、機械等の組み立て時の接合部に使用される六角穴付きボルトでは、そのボルト径ごとに応じたサイズの六角穴を頭部に形成した構成となっている。また、この六角穴付きボルトは、一般にその全体に焼入れ及び焼き戻し処理が施されて、求めるボルトの硬度及び性能が得られるよう熱処理されている。【０００３】  そして、六角穴付きボルトの締付け時には、頭部六角穴に六角棒レンチ或いは六角ビットなどの締付用六角レンチ（以下、締付用六角レンチという）を挿入して締付けが行われている。
【先行技術文献】
【０００４】
【特許文献１】  特開２０１２−１９３８３６号公報
【考案の概要】
【考案が解決しようとする課題】
【０００５】  ところで、上記した構成の六角穴付きボルトにあっては、頭部の六角穴に締付用六角レンチを挿入して締付けが行われる時、締付用六角レンチの当る六角穴側面の表面にのみ、非常に高い面圧が発生するものであった。【０００６】  つまり、ボルトの締付けが行われると、締付用六角レンチの当る六角穴側面の表面に、その締付けにより発生する高い面圧により１回の締付けだけで圧痕が発生するものであり、また、部品の脱着、調整等で繰り返しのボルトの締付けが行われると、六角穴側面のレンチ当接表面における圧痕が増大し、さらになめりが生じてその当接表面を彫ってしまうと締付けができなくなるものであった。【０００７】  また、締付けの際に、締付用六角レンチの挿入が不十分であると、もともと高い面圧が更に高くなるため、一層なめりを誘発して、ボルトの締付けができなくなるものであった。【０００８】  さらに、非常に高い面圧で締付けが行われるため、締付用六角レンチの形状寸法の精度が悪いもの、或いは締付け工具の多数買いの使用により工具自体が摩耗や変形する場合にもなめりを生じて締付けができなくなるものであった。【０００９】  なお、上記した問題の解決策として、ヘクサロビュラ或いはヘックスローブ穴形状のボルトがあり、これは六角穴と比べてレンチとボルトが面で接触して応力集中しやすいため、締付け不良になり難い。ところが、この形状は簡単に入手できず、レンチも特殊形状のものが必要である。従って、少量の使用には不適である。【００１０】  また、六角穴付きボルトの表面硬度を上げると限界面圧が高くなって圧痕が発生し難くなるので、表面硬度を高くすることが有効な解決策になる。ところが、安易に他の部分まで表面硬化させてしまうと、ボルト本来の性能を損なってしまう問題があり、採用が困難であった。【００１１】  そこで本考案は、六角穴部分だけにレーザー照射を行って焼入れを行い、その六角穴部分だけを局所的に表面硬化させるようにして、ボルト本来の性能を損なうことなく、締め付け不良を確実に防止できる六角穴付きボルトの提供を課題とする。
【課題を解決するための手段】
【００１２】  上記した問題を解決するため、本願の請求項１記載の考案は、頭部に締付用六角レンチの六角穴を備え、かつ全体に焼入れ及び焼き戻し処理が施された六角穴付きボルトにおいて、頭部の六角穴部分にレーザー照射を行ってその表面に再焼入れを行い、六角穴部分だけを局所的にかつ薄く表面硬化させてなる高硬度の六角穴を形成したことを特徴とする。
なお、締付用六角レンチとは、六角棒レンチ或いは六角ビットなどを含む概念である。【００１３】  本願の請求項２記載の考案は、請求項１記載の構成において、六角穴の締付用六角レンチの当たる内側面だけにレーザー照射を行ってその表面に再焼入れを行い、六角穴の内側面部分だけを局所的にかつ薄く表面硬化させてなる高硬度の六角穴を形成したことを特徴とする。
【考案の効果】
【００１４】  本考案によれば、たとえば六角穴の締付用六角レンチの当たる内側面だけにレーザー照射を行ってその表面に再焼入れを行い、六角穴の内側面部分だけを局所的にかつ薄く表面硬化させてなる高硬度の六角穴を形成したから、ボルト本来の性能を損なうことなく、六角穴の内側面部分だけを局所的にかつ薄く表面硬化させることができる。その結果、再焼入れされた高硬度の六角穴に締付用六角レンチを挿入してボルトの締付けが行われる時、この高硬度の六角穴側面に締付用六角レンチによる高い面圧が作用しても圧痕が発生するのを防止できる。このことは、１回目の締付け時は勿論、繰り返し締付けが行われても、高硬度の六角穴側面において圧痕が発生するのを防止できる。これにより従来のようになめりが生じて彫りが発生し締付けができなくなるといったことを防止できる。【００１５】  また、締付けの際に、締付用六角レンチの挿入が不十分な状態のため、高硬度の六角穴側面に、締付用六角レンチによるより高い面圧が作用することがあっても、再焼入れ効果により六角穴側面のなめり発生を抑え、締付けができなくなるといったことを防止できる。【００１６】  さらに、締付用六角レンチの形状寸法の精度が悪いもの、或いは締付け工具の多数回の使用により工具自体が摩耗や変形したものを用いる場合であっても、再焼入れ効果により六角穴側面のなめり発生を抑え、締付けができなくなるといったことを防止できる。
【図面の簡単な説明】
【００１７】
【図１】本考案に係る六角穴付きボルトの拡大縦断面図である。
【図２】同六角穴付きボルトの平面図である。
【図３】同六角穴付きボルトの正面図である。
【考案を実施するための形態】
【００１８】  以下本考案の実施の形態を図に基づいて説明する。
【００１９】  図１〜３図は、本考案に係る六角穴付きボルトを示すもので、この六角穴付きボルト１は、六角棒レンチ或いは六角ビットなどの締付用六角レンチ（図示せず）の六角形穴１１ａを有する頭部１１と、頭部１１の座面から一体に延びるねじ軸１２とからなる。また、六角穴付きボルト１はその全体に焼入れ、焼き戻し処理が施されて、求めるボルト１としての硬度や性能を有するよう熱処理されている
【００２０】  そして、本考案の六角穴付きボルト１では、図１に示すように、上記六角穴１１ａの締付用六角レンチの当たる内側表面だけにレーザー照射を行って再焼入れを行い、六角穴１１ａの内側表面部分だけを局所的に表面硬化させてなる高硬度の六角穴１１ａを形成するようにしたのである。
【００２１】  次に、以上のように構成した六角穴付きボルト１の作用について説明する。
【００２２】  本考案によれば、六角穴１１ａの締付用六角レンチの当たる内側表面だけにレーザー照射を行って再焼入れを行い、六角穴１１ａの内側表面部分だけに、局所的にかつ薄く表面硬化させてなる高硬度の焼入れ部１１ａを形成したから、ボルト１本来の性能を損なうことなく、六角穴１１ａの内側面部分だけを局所的にかつ薄く表面硬化させることができる。その結果、再焼入れされた高硬度の六角穴１１ａに締付用六角レンチを挿入してボルト１の締付けが行われる時、この高硬度の六角穴１１ａ側面に締付用六角レンチによる高い面圧が作用しても圧痕が発生するのを防止できる。このことは、１回目の締付け時は勿論、繰り返し締付けが行われても、高硬度の六角穴１１ａ側面において圧痕が発生するのを防止できる。これにより従来のようになめりが生じて彫りが発生し締付けができなくなるといったことを防止できる。
【００２３】  また、締付けの際に、締付用六角レンチの挿入が不十分な状態のため、高硬度の六角穴１１ａ側面に、締付用六角レンチによるより高い面圧が作用することがあっても、再焼入れ効果により六角穴１１ａ側面のなめり発生を抑え、締付けができなくなるといったことを防止できる。
【００２４】  さらに、締付用六角レンチの形状寸法の精度が悪いもの、或いは締付け工具の多数回の使用により工具自体が摩耗や変形したものを用いる場合であっても、再焼入れ効果により六角穴１１ａ側面のなめり発生を抑え、締付けができなくなるといったことを防止できる。
【００２５】  上記した実施の形態では、六角穴における内側面だけにレーザー照射を行って再焼入れを行ったものについて説明したけれども、六角穴１１ａの底面にもレーザー照射を行って再焼入れを行ってもよい。
【００２６】  また、六角穴付きボルトの頭部の形状についても、上記した実施の形態の円筒形状に何ら限定されるものではなく、各種の形状の頭部であってもよいこと勿論である。
【符号の説明】
【００２７】  １        六角穴付きボルト
１１      頭部
１１ａ    六角穴１１ａ
１２      ねじ軸１２
【図１】
0003195433.tif 000003
【図２】
0003195433.tif 000004
【図３】
0003195433.tif 000005